(57)【要約】      （修正有）【課題】帆立貝の養殖に際し、ロープに係止ピンを介して取り付けた帆立貝が、抜け出難くなる形状を有した係止ピンを提供する。【解決手段】軸部２の両端部に、軸方向内方に斜め上方に延出する帆立貝抜止片４を備え、先端部が銛状で、帆立貝抜止片を含む形状が略∠形の帆立貝の係止部３を対称に備え、軸部の中央部に軸方向に離間し、且つ軸方向内方に向かい合うように斜め上方に突出するロープ抜止片５を備える合成樹脂製の帆立貝養殖用の係止ピンであり、帆立貝抜止片４の基部の直後の部分２ｂから、ロープ抜止片５の基部の直前の部分２ｃまで、軸部２よりも小径の連結部６を設け、連結部６は、帆立貝抜止片の基部の直後の断面積が最も小さく、ロープ抜止片の基部の直前の断面積が最も大きく、帆立貝抜止片の基部の直後からロープ抜止片の基部の直前まで、断面積が連続して大きくなるようにする。【選択図】図１
0003151875.tif 000002
【実用新案登録請求の範囲】
【請求項１】
軸部両端部に、軸方向内方に斜め上方に延出する帆立貝抜止片を備え、先端部が銛状で、帆立貝抜止片を含む形状が略∠形の帆立貝の係止部を対称に備え、軸部の中央部に軸方向に離間し、且つ軸方向内方に向かい合うように斜め上方に突出するロープ抜止片を備える合成樹脂製の帆立貝養殖用の係止ピンにおいて、
前記帆立貝抜止片の基部の直後から、前記ロープ抜止片の基部の直前まで、軸部よりも小径の連結部を設け、
前記連結部は、帆立貝抜止片の基部の直後の断面積が最も小さく、前記ロープ抜止片の基部の直前の断面積が最も大きく、帆立貝抜止片の基部の直後からロープ抜止片の基部の直前まで、断面積が連続して大きくなるようにした、
ことを特徴とする帆立貝養殖用の係止ピン。
【請求項２】
軸部両端部に、軸方向内方に斜め上方に延出する帆立貝抜止片を備え、先端部が銛状で、帆立貝抜止片を含む形状が略∠形の帆立貝の係止部を対称に備え、軸部の中央部に軸方向に離間し、且つ軸方向内方に向かい合うように斜め上方に突出するロープ抜止片を備える合成樹脂製の帆立貝養殖用の係止ピンにおいて、
前記帆立貝抜止片の基部の直後から、前記ロープ抜止片の基部の直前まで、軸部よりも小径の連結部を設け、
前記連結部は、帆立貝抜止片の基部の直後から、前記ロープ抜止片の基部の直前まで、一様に同じ断面積で、同じ断面形状としたことを特徴とする帆立貝養殖用の係止ピン。
【請求項３】
軸部両端部に、軸方向内方に斜め上方、斜め下方に延出する帆立貝抜止片を備え、先端部が銛状で、帆立貝抜止片を含む形状が対称の略＜形、＞形の帆立貝の係止部を対称に備え、軸部の中央部に軸方向に離間し、且つ軸方向内方に向かい合うように斜め上方に突出するロープ抜止片を備える合成樹脂製の帆立貝養殖用の係止ピンにおいて、
前記帆立貝抜止片の基部の直後から、前記ロープ抜止片の基部の直前まで、軸部よりも小径の連結部を設け、
前記連結部は、帆立貝抜止片の基部の直後の断面積が最も小さく、前記ロープ抜止片の基部の直前の断面積が最も大きく、帆立貝抜止片の基部の直後からロープ抜止片の基部の直前まで、断面積が連続して大きくなるようにした、
ことを特徴とする帆立貝養殖用の係止ピン。
【考案の詳細な説明】
【技術分野】
【０００１】
本考案は、帆立貝の養殖に際し、帆立貝の係止ピンからの抜け出しを防止するようにした帆立貝養殖用の係止ピンの改良に関するものである。
【背景技術】
【０００２】
ロープの長さ方向に直交する方向に貫通し、両端部の抜止部に帆立貝を係止し、海中にロープを垂らし、帆立貝を養殖するのに用いられる帆立貝養殖用の係止ピンは、従来から知られている。
【先行技術文献】
【特許文献】
【０００３】
【特許文献１】特開２００２−１７１８６２号公報
【考案の概要】
【考案が解決しようとする課題】
【０００４】
図９〜図１１は、上記した従来の帆立貝養殖用の係止ピン（以下係止ピンと記す）による課題を説明する図である。
図９は、係止ピンに帆立貝を係止した初期の状態の説明図で、ロープ１００に、係止ピン１０１が長さ方向に所定ピッチ間隔で、該ロープ１００と直交するように貫通して保持され、海中に垂らして帆立貝の養殖を行う。
【０００５】
係止ピン１０１の軸部１０２の両端部には、軸方向内方に斜め上方に対称的に延出するする帆立貝抜止片１０４，１０４を備える側面視∠形の銛状の係止部１０３，１０３が形成されており、軸部１０２の中央部にはロープの径と略々等しい間隔を開けて左右に離間し、互いに向かい合うように斜めに外方に突出し、「ハ」字形をなす一対のロープ抜止片１０５，１０５が突設されており、ロープ１００のこの部分は、ロープ抜止片１０５，１０５で挟まれて保持されている。
【０００６】
係止ピン１０１の軸部１０２の両端部の係止部１０３，１０３に設けた帆立貝抜止片１０４，１０４の直後から、ロープ抜止片１０５，１０５の大分手前の部分は、細く形成（小径）されていて、軸部１０１の他の太い部分（軸部の大径の一般部）との間の連結部（下軸部）１０６，１０６を形成しており、帆立貝１０７，１０７は、稚貝の状態で耳片１０８，１０８に係止孔を穿設し、係止孔に係止ピン１０１の係止部１０３，１０３を通す。
【０００７】
帆立貝１０７，１０７の係止孔部分は、係止ピン１０１の軸部の両端部の手前に設けた連結部１０６，１０６に挿通して保持されており、帆立貝抜止片１０４，１０４の抜け止め作用で帆立貝の脱落は防止される。
連結部１０６，１０６は短く、径（断面積）が小さい部分の直後から急激に径（断面積）が大きくなる。
【０００８】
係止ピン１０１の両端部に係止された帆立貝１０７，１０７が成長し、大きくなり、重くなること、貝殻に大量の付着物が付着すること、これによっても重量増となること、また、波浪の上下動の影響、水揚げ時の抵抗等により帆立貝抜止片１０４，１０４に大きな負荷がかかり、これによる影響で細い連結部１０６が伸び、連結部１０６は２倍、或いはそれ以上伸びる。この状態を図１０で示した。
係止ピン１０１は、図１０の状態から連結部１０６が更に伸び、連結部１０６が約３倍、或いはそれ以上伸びると、伸びきった状態で破断し、せっかく養殖した生育途中の帆立貝や、水揚げしようとした帆立貝が、図１１に示すように外れて脱落してしまい、回収不能な状態となる。
【０００９】
本考案は、以上の帆立貝養殖用係止ピンによる帆立貝の係止、帆立貝の重量増、波浪の影響、水揚げ時の抵抗等による該係止ピンの連結部の破断を可及的に防止し、帆立貝の係止及び支持の強度の高い係止ピンを提供することを課題とする。
【課題を解決するための手段】
【００１０】
上記課題を解決するために、請求項１は、軸部両端部に、軸方向内方に斜め上方に延出する帆立貝抜止片を備え、先端部が銛状で、帆立貝抜止片を含む形状が略∠形の帆立貝の係止部を対称に備え、軸部の中央部に軸方向に離間し、且つ軸方向内方に向かい合うように斜め上方に突出するロープ抜止片を備える合成樹脂製の帆立貝養殖用の係止ピンにおいて、帆立貝抜止片の基部の直後から、ロープ抜止片の基部の直前まで、軸部よりも小径の連結部を設け、連結部は、帆立貝抜止片の基部の直後の断面積が最も小さく、前記ロープ抜止片の基部の直前の断面積が最も大きく、帆立貝抜止片の基部の直後からロープ抜止片の基部の直前まで、断面積が連続して大きくなるようにしたことを特徴とする。
【００１１】
請求項２は、軸部両端部に、軸方向内方に斜め上方に延出する帆立貝抜止片を備え、先端部が銛状で、帆立貝抜止片を含む形状が略∠形の帆立貝の係止部を対称に備え、軸部の中央部に軸方向に離間し、且つ軸方向内方に向かい合うように斜め上方に突出するロープ抜止片を備える合成樹脂製の帆立貝養殖用の係止ピンにおいて、帆立貝抜止片の基部の直後から、ロープ抜止片の基部の直前まで、軸部よりも小径の連結部を設け、連結部は、帆立貝抜止片の基部の直後から、前記ロープ抜止片の基部の直前まで、一様に同じ断面積で、同じ断面形状としたことを特徴とする。
【００１２】
請求項３は、軸部両端部に、軸方向内方に斜め上方、斜め下方に延出する帆立貝抜止片を備え、先端部が銛状で、帆立貝抜止片を含む形状が対称の略＜形、＞形の帆立貝の係止部を対称に備え、軸部の中央部に軸方向に離間し、且つ軸方向内方に向かい合うように斜め上方に突出するロープ抜止片を備える合成樹脂製の帆立貝養殖用の係止ピンにおいて、前記帆立貝抜止片の基部の直後から、前記ロープ抜止片の基部の直前まで、軸部よりも小径の連結部を設け、前記連結部は、帆立貝抜止片の基部の直後の断面積が最も小さく、前記ロープ抜止片の基部の直前の断面積が最も大きく、帆立貝抜止片の基部の直後からロープ抜止片の基部の直前まで、断面積が連続して大きくなるようにしたことを特徴とする。
【考案の効果】
【００１３】
請求項１に係る考案では、連結部は帆立貝抜止片の直後からロープ抜止片の基部の直前まで、断面積が連続して大きくなり、従って、連結部は滑らかに連続して傾斜して変化するので、連結部は伸びが急激に変化する点が存在せず、破断が起こりにくくなり、破断への抵抗力が格段に大きくなり、帆立貝の成長、付着物等による重量増、波浪の影響、水揚げ時の抵抗等による該係止ピンの連結部の破断を可及的に防止し、帆立貝の係止及び支持の強度の高い係止ピンを得ることができる。
【００１４】
請求項２に係る考案では、連結部は、帆立貝抜止片の基部の直後から、ロープ抜止片の基部の直前まで、一様に同じ断面積としたので、連結部は伸びが急激に変化する点が存在せず、破断が起こりにくくなり、破断への抵抗力が格段に大きくなり、帆立貝の成長、付着物等による重量増、波浪の影響、水揚げ時の抵抗等による該係止ピンの連結部の破断を可及的に防止し、帆立貝係止、支持の強度の高い係止ピンを得ることができる。
【００１５】
請求項３に係る考案では、略＜形、＞形の帆立貝の係止部からロープ抜止部に繋がる連結部は、帆立貝抜止片の直後からロープ抜止片の基部の直前まで、断面積が連続して大きくなり、従って、連結部は滑らかに連続して傾斜して変化するので、連結部は伸びが急激に変化する点が存在せず、破断が起こりにくくなり、破断への抵抗力が格段に大きくなり、帆立貝の成長、付着物等による重量増、波浪の影響、水揚げ時の抵抗等による該係止ピンの連結部の破断を可及的に防止し、帆立貝係止、支持の強度の高い係止ピンを得ることができる。
【図面の簡単な説明】
【００１６】
【図１】本考案の第１実施例に係る帆立貝養殖用係止ピンの側面図である。
【図２】図１の帆立貝養殖用係止ピンの平面図である。
【図３】図２の各部の断面図で、Ａは、図２のＡ−Ａ線断面図、Ｂは、図２のＢ−Ｂ線断面図、Ｃは、図２のＣ−Ｃ線断面図、Ｄは、図２のＤ−Ｄ線断面図である。
【図４】本考案の第２実施例に係る帆立貝養殖用係止ピンの側面図である。
【図５】図４の帆立貝養殖用係止ピンの平面図である。
【図６】図５の６−６線断面図である。
【図７】本考案の第３実施例に係る帆立貝養殖用係止ピンの側面図である。
【図８】図７の各部の断面図で、Ａは、Ａ−Ａ線断面図、Ｂは、同Ｂ−Ｂ線断面図、Ｃは、同Ｃ−Ｃ線断面図、Ｄは、同Ｄ−Ｄ線断面図である。
【図９】帆立貝養殖用係止ピンに帆立貝を係止した初期の状態の説明図である。
【図１０】帆立貝が成長し、重くなったり、付着物の影響で重くなり、帆立貝養殖用係止ピンが伸びた状態を示す説明図である。
【図１１】帆立貝養殖用係止ピンの伸びた連結部が破断し、帆立貝が脱落する状態を説明した図である。
【考案を実施するための形態】
【００１７】
本考案の実施の形態を添付図に基づいて以下に説明する。なお、図面は符号の向きに見るものとする。
【実施例１】
【００１８】
図１は、本考案の第１実施例に係る帆立貝養殖用係止ピンの側面図、図２は、図１の帆立貝養殖用係止ピンの平面図、図３は図２の各部の断面図で、Ａは、図２のＡ−Ａ線断面図、Ｂは、図２のＢ−Ｂ線断面図、Ｃは、図２のＣ−Ｃ線断面図、Ｄは、図２のＤ−Ｄ線断面図である。
これらの図面を参照して本考案の第１実施例を説明する。
【００１９】
図１おいて、１は帆立貝養殖用係止ピンを示し、軸部２の両端部には、先端部が尖った銛状の係止部３，３を対称的に有し、係止部３，３の先端部に近い軸方向内方部分には径方向外方に起立突出した帆立貝抜止片４，４を備える。
各帆立貝抜止片４，４は、軸方向内方に対称的に傾斜し、実施例では、径方向外方に若干湾曲して形成されている。
【００２０】
軸部２の中央部２ａは最も大径で、断面が図３のＤで示したように円形断面をなす。
中央部２ａの外周で、前記した帆立貝抜止片４，４と同方向にロープ抜止片５，５を突出して設け、ロープ抜止片５，５は、夫々向かい合うように傾斜して「ハ」字形をなす。
【００２１】
以上において、軸部２の帆立貝抜止片４，４の基部部分２ｂ，２ｂから軸部２の中央部２ａに近いロープ抜止片５，５の直前の基部部分２ｃ，２ｃを連結部６とする。
連結部６は、帆立貝抜止片４，４の基部部分２ｂ，２ｂを最も小径とし、その断面は図３のＡの通りで、軸部２の中央部２ａの円形断面に対し逆蒲鉾状断面である。
一方、軸部２の中央部２ａに近い連結部６のロープ抜止片５，５の直前の基部部分２ｃ，２ｃは、中央部２ａと等しいか、これより微少小さい断面で、最も断面が大きく、その直前の断面は図３のＣに示す通りである。
【００２２】
以上の軸部２の帆立貝抜止片４，４の基部部分２ｂ，２ｂからロープ抜止片５，５の直前の基部部分２ｃ，２ｃの連結部６の断面積は、２ｂ，２ｂから２ｃ，２ｃに連続して大きくなり、２ｂ，２ｂが最小で、２ｃ，２ｃが最大である。
上記した連結部６は、２ｂ，２ｂから２ｃ，２ｃへの断面積の変化が、帆立貝抜止片４，４の直後の部分２ｂ、２ｂから、ロープ抜止片５，５の基部２ｃ，２ｃの直前まで、断面積が連続して大きくなり、従って、連結部６の断面は、滑らかに連続して傾斜して変化することとなる。
【００２３】
以上においては、帆立貝養殖用係止ピン１は、尖鋭な係止部３をその先端から帆立貝の耳片に形成した係止孔に挿入し、帆立貝抜止片４は撓んで係止孔を通過し、係止孔を通過後に図のように起立した状態に復帰し、図９と同様の状態となり、図９と同様にロープ抜止片５，５間にロープは抜け止め、保持される。
【００２４】
ところで、図１の２ｂの部分から２ｃの部分、即ち、図１のａ〜ｃの間の区間ｂに図９及び図１０と同様に係止、保持した帆立貝により引っ張り、または曲げが作用することとなる。
引っ張り力、即ち軸力Ｆが加わると、この力Ｆを断面積Ｓで割った値が引っ張り応力σとなる（σ＝Ｆ／Ｓ）。
最少断面のａ点での応力σが最大となる。このａ点を含む領域の伸びが大きくなる。
このａ点の隣のｄ点では、上記した通り断面積が少し大きくなるため、伸びが少し小さくなる。
【００２５】
このように、区間ｂでは、断面積が連続して少しずつ小さくなる。
逆に、伸び量が急に変わる点は存在しない。伸び量が急に変わる点で破断することが考えられるが、本考案では伸び量が徐々に変わる場合には、破断が起こりにくくなる。
即ち、破断への抵抗力が従来よりも格段に大きくなる。
【００２６】
本考案によれば、連結部６は断面積が連続して大きくなり、滑らかに連続して傾斜して変化し、連結部６は伸びが急激に変化する点が存在せず、破断が起こりにくくなり、破断への抵抗力が格段に大きくなる。
従って、帆立貝の成長、付着物等による重量増、波浪の影響、水揚げ時の抵抗等による該係止ピンの連結部の破断を可及的に防止し、帆立貝係止、支持の強度の高い係止ピンを得ることができる。
【実施例２】
【００２７】
図４乃至図６は、本考案の第２実施例を示す図で、図４は本考案の第２実施例に係る帆立貝養殖用係止ピンの側面図、図５は、図４の帆立貝養殖用係止ピンの平面図、図６は、図５の６−６線断面図である。
帆立貝養殖用係止ピン１１の基本構造は前記した実施例と同様であり、軸部１２の両端部には、先端部が尖った銛状の係止部１３，１３を対称的に有し、係止部１３，１３の先端部に近い軸方向内方部分には径方向外方に起立突出した帆立貝抜止片１４，１４を備え、軸部１２の中央部１２ａの外周には、帆立貝抜止片１４，１４と同方向にロープ抜止片１５，１５を、夫々向かい合うように傾斜して「ハ」字形に突出して備える。
【００２８】
本実施例では、帆立貝抜止片１４，１４の直後の部分１２ｂからロープ抜止片１５，１５の直前の部分１２ｃまでの連結部１６の断面を中央部１２ａよりも小さくし、且つ断面は連結部１６の全長に亘り同じとし、実施例では図６に示したように断面を逆蒲鉾状とした。
【００２９】
以上においては、帆立貝養殖用係止ピン１１は、上記したと実施例１と同様に、尖鋭な係止部１３をその先端から帆立貝の耳片に形成した係止孔に挿入し、帆立貝抜止片１４は撓んで係止孔を通過し、係止孔を通過後に図のように起立した状態に復帰し、図９と同様の状態となり、図９と同様にロープ抜止片１５，１５間にロープは抜け止め、保持される。
【００３０】
ところで、図４の１２ｂの部分から１２ｃの部分、即ち、図４のａ〜ｃの間の区間ｂに図９及び図１０と同様に係止、保持した帆立貝により引っ張り、または曲げが作用することとなる。
連結部１６である区間ｂは、全長に亘り同じ断面積であり、伸び量が、急に変わる点は存在しない。
伸び量が急に変わる点で破断することが考えられるが、本考案では伸び量が全長に亘り同じであり、破断が起こりにくくなる。
即ち、破断への抵抗力が従来よりも格段に大きくなる。
【００３１】
本考案によれば、連結部１６は断面積が全長に亘り同じであり、連結部１６は伸びが急激に変化する点が存在せず、破断が起こりにくくなり、破断への抵抗力が格段に大きくなる。
従って、帆立貝の成長、付着物等による重量増、波浪の影響、水揚げ時の抵抗等による該係止ピンの連結部の破断を可及的に防止し、帆立貝係止、支持の強度の高い係止ピンを得ることができる。
【実施例３】
【００３２】
図７、図８は、本考案の第３実施例を示す図で、図７は本考案の第３実施例に係る帆立貝養殖用係止ピンの側面図、図８は、図７の各部の断面図で、Ａは、同Ａ−Ａ線断面図、Ｂは、同Ｂ−Ｂ線断面図、Ｃは、同Ｃ−Ｃ線断面図、Ｄは、同Ｄ−Ｄ線断面図である。
帆立貝養殖用係止ピン２１の基本構造は前記した実施例と同様であり、軸部２２の両端部には、先端部が尖った銛状の係止部２３，２３を対称的に有する。
図１及び図４の実施例と異なる構造は、係止部２３，２３の形状である。
【００３３】
係止部２３，２３は、両端部で対称な＜形、＞形をなす。先端部に近い軸方向内方部分には、径方向外方（図の上下方向）に対称に起立突出した帆立貝抜止片２４，２４及び２４，２４を備える。
軸部２２の中央部２２ａが最も断面積が大きく、この部分の両端部の外周には、帆立貝抜止片２４，２４の上下の一方と同方向に、ロープ抜止片２５，２５を、夫々向かい合うように傾斜して「ハ」字形に突出して備える。
上記した上下に対称に突出する帆立貝抜止片２４，２４と２４，２４は、軸方向内方に対称的に傾斜し、実施例では、径方向外方に若干湾曲して形成されている。
【００３４】
以上において、軸部２２の両端部に近い部分に設けた＜形、＞形の帆立貝抜止片２４，２４及び２４，２４の基部部分２２ｂ，２２ｂから軸部２２の中央部２２ａに近いロープ抜止片２５，２５の直前の基部部分２２ｃ，２２ｃを連結部２６とすることは、図１の実施例と同様である。
そして、連結部２６は、帆立貝抜止片２４，２４及び２４，２４の基部部分２２ｂ，２２ｂを最も小径とし、その断面は図８のＡの通りで、軸部２２の中央部２２ａの円形断面に対円形の上下の部分を上下対称に切断した横長で左右両側部が弧状の略矩形断面である。
【００３５】
一方、軸部２２の中央部２２ａに近い連結部２６のロープ抜止片２５，２５の直前の基部部分２２ｃ，２２ｃは、中央部２２ａと等しいか、これより微少に小さい断面で、最も断面が大きく、その直前の断面は図８のＣに示す通りであり、円形断面の上下の頂部を切断し、扁平頂辺部と扁平下辺部とを有し、両側部が左右対称の弧状をなす略円形断面に近い断面である。
図７の各部の断面は、図８のＡ〜Ｄの通りである。
【００３６】
以上の連結部２６，２６の断面は、軸部２２の帆立貝抜止片２４，２４及び２４，２４の基部部分２２ｂ，２２ｂからロープ抜止片２５，２５の直前の基部部分２２ｃ，２２ｃの連結部２６の断面積は、２２ｂ，２２ｂから２２ｃ，２２ｃに連続して大きくなり、２２ｂ，２２ｂが最小で、２２ｃ，２２ｃが最大である。
上記した連結部２６は、２２ｂ，２２ｂから２２ｃ，２２ｃへの断面積の変化が、帆立貝抜止片２４，２４及び２４，２４の直後の部分２２ｂ、２２ｂから、ロープ抜止片２５，２５の基部２２ｃ，２２ｃの直前まで、断面積が連続して大きくなり、従って、連結部２６の断面は、滑らかに連続して傾斜して変化することとなる。
【００３７】
従って、第１実施例と同様に、連結部２６，２６は断面積が連続して大きくなり、滑らかに連続して傾斜して変化し、連結部２６，２６は伸びが急激に変化する点が存在せず、破断が起こりにくくなり、破断への抵抗力が格段に大きくなる。
従って、帆立貝の成長、付着物等による重量増、波浪の影響、水揚げ時の抵抗等による該係止ピンの連結部の破断を可及的に防止し、帆立貝係止、支持の強度の高い係止ピンを得ることができる。
【００３８】
以上、第１実施例〜第３実施例の夫々について、詳細に説明した。
第１実施例及び第３実施例では、連結部６，２６の断面先が連続して変化させるために、逆蒲鉾状、或いは両側が対称弧状の略矩形から略円形断面としたが、これに代えて、２ｂ、２２ｂ〜２ｃ、２２ｃの断面を、その径が、小径から大径に連続して大きくなるようにした円形断面でも良い。
また、第２実施例において、先端部の略∠形の形状に対し、第３実施例と同様に＜形、＞形の形状としても良い。
【産業上の利用可能性】
【００３９】
本考案に係る帆立貝養殖用係止ピンは、帆立貝の養殖に利用することができる。
【符号の説明】
【００４０】
１，１１，２１…帆立貝養殖用係止ピン、  ２，１２，２２…軸部、  ３，１３，２３…係止部、  ４，１４，２４…帆立貝抜止片、  ５，１５，２５…ロープ抜止片、  ６，２６…断面積が連続して大きくなる連結部、  １６…断面積が同じ断面形状の連結部。
【図１】
0003151875.tif 000003
【図２】
0003151875.tif 000004
【図３】
0003151875.tif 000005
【図４】
0003151875.tif 000006
【図５】
0003151875.tif 000007
【図６】
0003151875.tif 000008
【図７】
0003151875.tif 000009
【図８】
0003151875.tif 000010
【図９】
0003151875.tif 000011
【図１０】
0003151875.tif 000012
【図１１】
0003151875.tif 000013